(57)【要約】【課題】  この発明は、介護者が高齢者や障害者、寝たきりの患者等の口腔内の唾液、痰、食物残渣の除去、清掃、及び、口腔内に対する薬剤等の塗布に使用する際に用いて好適な口腔用清掃器具に関し、特に唾液、痰を口腔内から除去する目的に合致した形状を有する口腔用清掃器具を提供する。【解決手段】  棒状体（２）の先端部に吸水性のスポンジ体（３）を設けた口腔用清掃器具（１）において、棒状体（２）の先端部の吸水性のスポンジ体（３）に、匙状の凹陥部（４）よりなる掬い部（５）を形成したことを特徴とする。【選択図】図１
2017144205.tif 000002
【特許請求の範囲】
【請求項１】
棒状体（２）の先端部に吸水性のスポンジ体（３）を設けた口腔用清掃器具（１）において、口腔内の唾液、痰を容易に掬い取り易いように、棒状体（２）の先端部の吸水性のスポンジ体（３）に、匙状の凹陥部（４）よりなる掬い部（５）を形成したことを特徴とする口腔用清掃器具。
【請求項２】
前記棒状体（２）の先端部に吸水性のスポンジ体（３）を設けた口腔用清掃器具（１）において、口腔内の唾液、痰を容易に掬い取り易いように、棒状体（２）の先端部の吸水性のスポンジ体（３）に、略水平状の底面の凹陥部（６）よりなる掬い部（５）を形成したことを特徴とする口腔用清掃器具。
【発明の詳細な説明】
【技術分野】
【０００１】  この発明は、介護者が高齢者や障害者、寝たきりの患者等の口腔内の唾液、痰、食物残渣の除去、清掃、及び、口腔内に対する薬剤等の塗布に使用する際に用いて好適な口腔用清掃器具に関し、特に唾液、痰を口腔内から除去する目的に合致した形状を有する口腔用清掃器具に関するものである。
【背景技術】
【０００２】  従来、介護者が高齢者や障害者、寝たきりの患者等の口腔内の唾液、痰、食物残渣の除去、清掃、及び、口腔内に対する薬剤等の塗布に使用される器具として、棒状体の先端部に吸水性のスポンジ体を設けた口腔用清掃器具が知られており、棒状体の先端部に設けた吸水性のスポンジ体は、平面多角形の柱状体または円棒状体であり、その吸水性のスポンジ体の周縁部には複数個の膨出部、突起状部、溝状部等が形成されている。
【先行技術文献】
【特許文献】
【０００３】
【特許文献１】  特開２０１４−４２６２６号公報
【特許文献２】  特開２００２−３３６２７９号公報
【特許文献３】  特開２００２−３０６５１３号公報
【発明の概要】
【発明が解決しようとする課題】
【０００４】これは次のような欠点があった。
（イ）吸水性のスポンジ体の周縁部に、複数個の膨出部、突起状部、溝状部等を形成して表面積を増加させて、スポンジ体の吸収効果を向上させ、乾いた状態でスポンジ体に口腔内の唾液、痰を吸収させて口腔外へ除去することができるとされている。
しかし、高齢者や障害者、寝たきりの患者等には嚥下機能の低下、又は嚥下障害により、容易に唾液を飲み込むことができない者が多く、喉の奥などの口腔内に唾液や痰が貯留してしまうのだが、貯留した唾液は次第に粘度が高くなり、同じく痰も次第に粘度が高くなり粘塊状となる。粘度が高くなるとスポンジ体の吸収効果は著しく低下してしまう。
したがって、口腔内に貯留して粘度が高くなった唾液や、粘度が高くなり粘塊状となった痰をスポンジ体に吸収させて口腔外へ除去することは実際には容易ではなかった。
（ロ）口腔内の痰をスポンジ体の周縁部に形成した複数個の膨出部、突起状部、溝状部等で絡め取り、口腔外へ除去することができるとされている。
ところが、痰はそれよりも粘度の低い唾液中にあることが多い。そのため、スポンジ体の周縁部に形成した複数個の膨出部、突起状部、溝状部等で痰を絡め取ろうとしても、先に粘度の低い唾液が、スポンジ体の周縁部に形成した複数個の膨出部、突起状部、溝状部等の表面を覆ってしまうため、痰がスポンジ体の周縁部に形成した複数個の膨出部、突起状部、溝状部等に絡み付くことができない。
したがって、口腔内の痰をスポンジ体の周縁部に形成した複数個の膨出部、突起状部、溝状部等で絡め取り、口腔外へ除去することは実際には容易ではなかった。
（ハ）介護者が、嚥下機能の低下、又は嚥下障害のある高齢者や障害者、寝たきりの患者等の、喉の奥に貯留した唾液、痰を除去するために、従来の棒状体の先端部に吸水性のスポンジ体を設けた口腔用清掃器具を用いると、前記（イ）、（ロ）に記載のとおり、容易ではないために時間がかかる。
そのため、喉の奥が刺激され続けることになり、嘔吐反射による嘔気や嘔吐を誘発して、嘔吐物による窒息死や、嘔吐物を肺に誤嚥することによる誤嚥性肺炎を発症させる危険性が高まり、特に高齢者や障害者、寝たきりの患者等にとって大変危険だった。
（ニ）嚥下機能の低下、又は嚥下障害のある高齢者や障害者、寝たきりの患者等の、喉の奥などの口腔内に貯留した唾液、痰を除去するには、医療機関では医療関係者が手動式や電動式の痰吸引器を用いて、口腔内から唾液、痰を吸引除去している。
しかし、在宅における介護では、痰吸引器の購入に費用がかかり、衛生管理や機能の維持管理、また嚥下機能の低下、又は嚥下障害のある高齢者や障害者、寝たきりの患者等に苦痛を与えないように、使用に習熟を必要とする痰吸引器よりも、従来の棒状体の先端部に吸水性のスポンジ体を設けた口腔用清掃器具が、前記（ハ）に記載の危険性があるにもかかわらず、安価で使い捨てができるため、用いられることが多かった。
本発明は、前記（イ）、（ロ）、（ハ）、（ニ）のような欠点をなくすためになされたものである。
【課題を解決するための手段】
【０００５】  棒状体（２）の先端部に吸水性のスポンジ体（３）を設けた口腔用清掃器具（１）において、口腔内の唾液、痰を容易に掬い取り易いように、棒状体（２）の先端部の吸水性のスポンジ体（３）に、匙状の凹陥部（４）よりなる掬い部（５）を形成する。
本発明は、以上の構成よりなる口腔内の唾液、痰の口腔外への除去を容易にする口腔用清掃器具である。
【発明の効果】
【０００６】（イ）棒状体の先端部に設けた吸水性のスポンジ体に、口腔内に貯留して粘度が高くなった唾液や、粘度が高くなり粘塊状となった痰を吸収させて、口腔外へ除去することは実際には容易ではなかった。
そこで、棒状体の先端部に設けた吸水性のスポンジ体に、匙状の凹陥部よりなる掬い部を形成することにより、口腔内の唾液、痰をスポンジ体へ吸収するのではなく、匙状の凹陥部で掬い取り、滞溜させるように用いることにより、口腔内に貯留して粘度が高くなった唾液や、粘度が高くなり粘塊状となった痰を口腔外へ除去することが容易になる。
（ロ）棒状体の先端部に設けた吸水性のスポンジ体の周縁部に形成した複数個の膨出部、突起状部、溝状部等で口腔内の痰を絡め取り、口腔外へ除去することは実際には容易ではなかった。
そこで、棒状体の先端部に設けた吸水性のスポンジ体に、匙状の凹陥部よりなる掬い部を形成することにより、口腔内の痰を絡め取るのではなく、匙状の凹陥部で掬い取り、滞溜させるように用いることにより、口腔内の痰を口腔外へ除去することが容易になる。
（ハ）介護者が、嚥下機能の低下、又は嚥下障害のある高齢者や障害者、寝たきりの患者等の喉の奥に貯留した唾液、痰を除去するために、従来の棒状体の先端部に吸水性のスポンジ体を設けた口腔用清掃器具を用いると、容易ではないために時間がかかる。
そのため、喉の奥が刺激され続けることにより、嘔吐反射による嘔気や嘔吐を誘発して、嘔吐物による窒息死や、嘔吐物を肺に誤嚥することによる誤嚥性肺炎を発症させる危険性が高まり、特に高齢者や障害者、寝たきりの患者等にとって大変危険だった。
そこで、棒状体の先端部に設けた吸水性のスポンジ体に、匙状の凹陥部よりなる掬い部を形成して掬い取り、滞溜させるように用いることにより、前記（イ）、（ロ）に記載のとおり、口腔内の唾液や痰を口腔外へ除去することが容易になる。
したがって、喉の奥が刺激される時間が短縮され、嘔吐反射による嘔気、嘔吐の誘発や、嘔吐物による窒息死、嘔吐物を肺に誤嚥することによる誤嚥性肺炎を発症させる危険性が低下するため、特に高齢者や障害者、寝たきりの患者等にとって安全である。
（ニ）従来の、棒状体の先端部に吸水性のスポンジ体を設けた口腔用清掃器具のスポンジ体に、匙状の凹陥部よりなる掬い部を形成することにより、前記（ハ）に記載の、安全性を高めた、安価で使い捨てのできる口腔用清掃器具を、在宅での介護へ提供できる。
（ホ）棒状体の先端部に吸水性のスポンジ体を設けた口腔用清掃器具のスポンジ体に、匙状の凹陥部よりなる掬い部を形成することにより、従来どおり、介護者が高齢者や障害者、寝たきりの患者等の口腔内の食物残渣の除去、清掃、及び、口腔内に対する薬剤等の塗布に使用することに、大きな支障がない。
【図面の簡単な説明】
【０００７】
【図１】  本発明の斜視図である。
【図２】  略水平状の底面の凹陥部よりなる掬い部の斜視図（Ａ）、及び他の形状の掬い部の斜視図（Ｂ）、（Ｃ）である。
【発明を実施するための形態】
【０００８】  以下、本発明を実施するための形態について説明する。
棒状体（２）の先端部に吸水性のスポンジ体（３）を設けた口腔用清掃器具（１）において、口腔内の唾液、痰を容易に掬い取り易いように、棒状体（２）の先端部の吸水性のスポンジ体（３）に、匙状の凹陥部（４）よりなる掬い部（５）を形成する。
ところで、棒状体（２）の先端部の吸水性のスポンジ体（３）に形成した匙状の凹陥部（４）よりなる掬い部（５）は、図２（Ａ）に示す、略水平状の底面の凹陥部（６）よりなる掬い部（５）であってもよく、図１、図２（Ａ）に示す形状の他にも、例えば図２（Ｂ）、（Ｃ）に示す形状とすることができる。なお、掬い部（５）の形状は、図１、図２（Ａ）、（Ｂ）、（Ｃ）のいずれかに限るものではない。
本発明は、以上のような構造である。
本発明を使用するときは、高齢者や障害者、寝たきりの患者等の口腔内に口腔用清掃器具（１）のスポンジ体（３）を挿入して、スポンジ体（３）に形成した匙状の凹陥部（４）よりなる掬い部（５）で、口腔内に貯留している唾液、痰を掬い取り、滞溜させるように用いて、口腔外へ除去すればよい。
【符号の説明】
【０００９】  １  口腔用清掃器具
２  棒状体
３  スポンジ体
４  匙状の凹陥部
５  掬い部
６  略水平状の底面の凹陥部
【図１】
2017144205.tif 000003
【図２】
2017144205.tif 000004